(57)【要約】【課題】  この発明は、各給紙カセットに収納されている記録紙のサイズ以外の属性を、画像形成装置に簡単に登録させることができるとともに、登録された属性を表示させることができる画像形成装置を提供することを目的とする。【解決手段】  属性登録処理手段は、属性を登録すべき記録紙が収納されている給紙段を指定させる給紙段指定手段、所定位置にセットされた記録紙の画像を読み取る画像読み取り手段、画像読み取り手段によって読み取られた画像に基づいて当該記録紙の属性情報を取得する属性取得手段、ならびに属性取得手段によって取得された記録紙の属性情報を給紙段指定手段によって指定された給紙段に関連させて登録させる手段を備えている。【選択図】  図１
2006098431.tif 000002
【特許請求の範囲】
【請求項１】
給紙カセットがそれぞれ収納される複数の給紙段を備えている画像形成装置において、
動作モードとして属性登録処理モードを設定させるためのモード設定手段、モード設定手段によって属性登録処理モードが設定されたときに、給紙段に収納されている給紙カセット内の記録紙の属性を給紙段に関連して登録させるための処理を行う属性登録処理手段および属性登録処理手段によって登録された記録紙の属性を表示器に表示させるための属性表示手段を備えており、
属性登録処理手段は、
属性を登録すべき記録紙が収納されている給紙段を指定させる給紙段指定手段、
所定位置にセットされた記録紙の画像を読み取る画像読み取り手段、
画像読み取り手段によって読み取られた画像に基づいて当該記録紙の属性情報を取得する属性取得手段、ならびに
属性取得手段によって取得された記録紙の属性情報を給紙段指定手段によって指定された給紙段に関連させて登録させる手段、
を備えていることを特徴とする画像形成装置。
【請求項２】
給紙カセットがそれぞれ収納される複数の給紙段を備えている画像形成装置において、
動作モードとして属性登録処理モードを設定させるためのモード設定手段、モード設定手段によって属性登録処理モードが設定されたときに、給紙段に収納されている記録紙の属性を給紙段に関連して登録させるための処理を行う属性登録処理手段および属性登録処理手段によって登録された記録紙の属性を表示器に表示させるための属性表示手段を備えており、
属性登録処理手段は、
属性登録処理モード時において給紙カセットが引き出された給紙段を、属性を登録すべき記録紙が収納されている給紙段として認識する給紙段認識手段、
所定位置にセットされた記録紙の画像を読み取る画像読み取り手段、
画像読み取り手段によって読み取られた画像に基づいて当該記録紙の属性情報を取得する属性取得手段、ならびに
属性取得手段によって取得された記録紙の属性情報を給紙段認識手段によって認識された給紙段に関連させて登録させる手段、
を備えていることを特徴とする画像形成装置。
【請求項３】
自動原稿搬送装置、自動原稿搬送装置によって画像読み取り位置に搬送されてきた原稿の画像を読み取るための画像読み取り装置および給紙カセットがそれぞれ収納される複数の給紙段を備えている画像形成装置において、
動作モードとして属性登録処理モードを設定させるためのモード設定手段、モード設定手段によって属性登録処理モードが設定されたときに、給紙段に収納されている記録紙の属性を給紙段に関連して登録させるための処理を行う属性登録処理手段および属性登録処理手段によって登録された記録紙の属性を表示器に表示させるための属性表示手段を備えており、
自動原稿搬送装置は、自動原稿搬送装置内の原稿搬送経路付近に、原稿搬送経路の幅方向にのびて配された光電検出器アレイを備えており、
属性登録処理手段は、
属性を登録すべき記録紙が収納されている給紙段を指定させる給紙段指定手段、
自動原稿搬送装置にセットされた記録紙を自動原稿搬送装置によって画像読み取り位置に搬送させて、画像読み取り装置によって画像を読み取らせる制御手段、
自動原稿搬送装置内の原稿搬送経路に設けられた光電検出器アレイの出力に基づいて、当該記録紙に綴じ孔が開けられているか否かという属性情報を取得する第１属性取得手段、
画像読み取り手段によって読み取られた画像に基づいて当該記録紙の色に関する属性情報を取得する第２属性取得手段、ならびに
第１属性取得手段および第２属性取得手段によって取得された属性情報を給紙段指定手段によって指定された給紙段に関連させて登録させる手段、
を備えていることを特徴とする画像形成装置。
【請求項４】
自動原稿搬送装置、自動原稿搬送装置によって画像読み取り位置に搬送されてきた原稿の画像を読み取るための画像読み取り装置および給紙カセットがそれぞれ収納される複数の給紙段を備えている画像形成装置において、
動作モードとして属性登録処理モードを設定させるためのモード設定手段、モード設定手段によって属性登録処理モードが設定されたときに、給紙段に収納されている記録紙の属性を給紙段に関連して登録させるための処理を行う属性登録処理手段および属性登録処理手段によって登録された記録紙の属性を表示器に表示させるための属性表示手段を備えており、
自動原稿搬送装置は、自動原稿搬送装置内の原稿搬送経路付近に、原稿搬送経路の幅方向にのびて配された光電検出器アレイを備えており、
属性登録処理手段は、
属性登録処理モード時において給紙カセットが引き出された給紙段を、属性を登録すべき記録紙が収納されている給紙段として認識する給紙段認識手段、
自動原稿搬送装置にセットされた記録紙を自動原稿搬送装置によって画像読み取り位置に搬送させて、画像読み取り装置によって画像を読み取らせる制御手段、
自動原稿搬送装置内の原稿搬送経路に設けられた光電検出器アレイの出力に基づいて、当該記録紙に綴じ孔が開けられているか否かという属性情報を取得する第１属性取得手段、
画像読み取り手段によって読み取られた画像に基づいて当該記録紙の色に関する属性情報を取得する第２属性取得手段、ならびに
第１属性取得手段および第２属性取得手段によって取得された属性情報を給紙段認識手段によって認識された給紙段に関連させて登録させる手段、
を備えていることを特徴とする画像形成装置。
【発明の詳細な説明】
【技術分野】
【０００１】
この発明は、複写機等の画像形成装置に関する。
【背景技術】
【０００２】
カラー複写機においては、一般的に複数段の給紙カセットが設けられており、各給紙カセットには、異なる属性（種類）を持つ記録紙が収納される。記録紙の属性には、例えば、用紙のサイズ、用紙の色（モノクロまたはカラー）、綴じ孔の有無等がある。各給紙カセットとそれに収納されている記録紙のサイズとの関係は、複写機が認識できるようになっているが、サイズ以外の属性は複写機が認識できるようになっていない。
【０００３】
そのため、各給紙カセットに収納されている記録紙のサイズ以外の属性をユーザが知るためには、給紙カセットをオープンして、それに収納されている記録紙のサイズ以外の属性をユーザが確認する必要がある。
【０００４】
記録紙のサイズ以外の属性を複写機に認識させるために、各給紙カセット毎に記録紙のサイズ以外の属性をユーザが手動で入力することも考えられるが、手間がかかるという問題がある。
【特許文献１】特開平１１−７８１８２号公報
【特許文献２】特開平１０−２９３５０３号公報
【発明の開示】
【発明が解決しようとする課題】
【０００５】
この発明は、各給紙カセットに収納されている記録紙のサイズ以外の属性を、画像形成装置に簡単に登録させることができるとともに、登録された属性を表示させることができる画像形成装置を提供することを目的とする。
【課題を解決するための手段】
【０００６】
請求項１に記載の発明は、給紙カセットがそれぞれ収納される複数の給紙段を備えている画像形成装置において、動作モードとして属性登録処理モードを設定させるためのモード設定手段、モード設定手段によって属性登録処理モードが設定されたときに、給紙段に収納されている給紙カセット内の記録紙の属性を給紙段に関連して登録させるための処理を行う属性登録処理手段および属性登録処理手段によって登録された記録紙の属性を表示器に表示させるための属性表示手段を備えており、属性登録処理手段は、属性を登録すべき記録紙が収納されている給紙段を指定させる給紙段指定手段、所定位置にセットされた記録紙の画像を読み取る画像読み取り手段、画像読み取り手段によって読み取られた画像に基づいて当該記録紙の属性情報を取得する属性取得手段、ならびに属性取得手段によって取得された記録紙の属性情報を給紙段指定手段によって指定された給紙段に関連させて登録させる手段を備えていることを特徴とする。
【０００７】
請求項２に記載の発明は、給紙カセットがそれぞれ収納される複数の給紙段を備えている画像形成装置において、動作モードとして属性登録処理モードを設定させるためのモード設定手段、モード設定手段によって属性登録処理モードが設定されたときに、給紙段に収納されている記録紙の属性を給紙段に関連して登録させるための処理を行う属性登録処理手段および属性登録処理手段によって登録された記録紙の属性を表示器に表示させるための属性表示手段を備えており、属性登録処理手段は、属性登録処理モード時において給紙カセットが引き出された給紙段を、属性を登録すべき記録紙が収納されている給紙段として認識する給紙段認識手段、所定位置にセットされた記録紙の画像を読み取る画像読み取り手段、画像読み取り手段によって読み取られた画像に基づいて当該記録紙の属性情報を取得する属性取得手段、ならびに属性取得手段によって取得された記録紙の属性情報を給紙段認識手段によって認識された給紙段に関連させて登録させる手段を備えていることを特徴とする。
【０００８】
請求項３に記載の発明は、自動原稿搬送装置、自動原稿搬送装置によって画像読み取り位置に搬送されてきた原稿の画像を読み取るための画像読み取り装置および給紙カセットがそれぞれ収納される複数の給紙段を備えている画像形成装置において、動作モードとして属性登録処理モードを設定させるためのモード設定手段、モード設定手段によって属性登録処理モードが設定されたときに、給紙段に収納されている記録紙の属性を給紙段に関連して登録させるための処理を行う属性登録処理手段および属性登録処理手段によって登録された記録紙の属性を表示器に表示させるための属性表示手段を備えており、自動原稿搬送装置は、自動原稿搬送装置内の原稿搬送経路付近に、原稿搬送経路の幅方向にのびて配された光電検出器アレイを備えており、属性登録処理手段は、属性を登録すべき記録紙が収納されている給紙段を指定させる給紙段指定手段、自動原稿搬送装置にセットされた記録紙を自動原稿搬送装置によって画像読み取り位置に搬送させて、画像読み取り装置によって画像を読み取らせる制御手段、自動原稿搬送装置内の原稿搬送経路に設けられた光電検出器アレイの出力に基づいて、当該記録紙に綴じ孔が開けられているか否かという属性情報を取得する第１属性取得手段、画像読み取り手段によって読み取られた画像に基づいて当該記録紙の色に関する属性情報を取得する第２属性取得手段、ならびに第１属性取得手段および第２属性取得手段によって取得された属性情報を給紙段指定手段によって指定された給紙段に関連させて登録させる手段を備えていることを特徴とする。
【０００９】
請求項４に記載の発明は、自動原稿搬送装置、自動原稿搬送装置によって画像読み取り位置に搬送されてきた原稿の画像を読み取るための画像読み取り装置および給紙カセットがそれぞれ収納される複数の給紙段を備えている画像形成装置において、動作モードとして属性登録処理モードを設定させるためのモード設定手段、モード設定手段によって属性登録処理モードが設定されたときに、給紙段に収納されている記録紙の属性を給紙段に関連して登録させるための処理を行う属性登録処理手段および属性登録処理手段によって登録された記録紙の属性を表示器に表示させるための属性表示手段を備えており、自動原稿搬送装置は、自動原稿搬送装置内の原稿搬送経路付近に、原稿搬送経路の幅方向にのびて配された光電検出器アレイを備えており、属性登録処理手段は、属性登録処理モード時において給紙カセットが引き出された給紙段を、属性を登録すべき記録紙が収納されている給紙段として認識する給紙段認識手段、自動原稿搬送装置にセットされた記録紙を自動原稿搬送装置によって画像読み取り位置に搬送させて、画像読み取り装置によって画像を読み取らせる制御手段、自動原稿搬送装置内の原稿搬送経路に設けられた光電検出器アレイの出力に基づいて、当該記録紙に綴じ孔が開けられているか否かという属性情報を取得する第１属性取得手段、画像読み取り手段によって読み取られた画像に基づいて当該記録紙の色に関する属性情報を取得する第２属性取得手段、ならびに第１属性取得手段および第２属性取得手段によって取得された属性情報を給紙段認識手段によって認識された給紙段に関連させて登録させる手段を備えていることを特徴とする。
【発明の効果】
【００１０】
この発明によれば、各給紙カセットに収納されている記録紙のサイズ以外の属性を、画像形成装置に簡単に登録させることができるとともに、登録された属性を表示させることができるようになる。
【発明を実施するための最良の形態】
【００１１】
以下、この発明をデジタルカラー複写機に適用した場合の実施の形態について説明する。
【実施例１】
【００１２】
図１は、デジタルカラー複写機の機構を示している。
複写機本体１００の上面には、複写すべき原稿が載置されるコンタクトガラス１が設けられている。複写機の上面には、自動原稿搬送装置（ＡＤＦ）２００が設けられている。さらに、複写機の上面には、ユーザ操作部３５０（図２参照）が設けられている。
【００１３】
ＡＤＦ２００は、ＡＤＦ２００の原稿トレイ２０１にセットされた原稿を給紙してコンタクトガラス１上に搬送するための給紙ローラ２０２、搬送ローラ対２０３、搬送ローラ２０４、原稿搬送ベルト２０５を備えている。また、コンタクトガラス１上に搬送された原稿をＡＤＦ２００の排出部２０８上に排出するための原稿搬送ベルト２０５、搬送ローラ２０６、搬送ローラ対２０７を備えている。搬送ローラ対２０３と搬送ローラ２０４との間には、後述する記録紙の属性登録モードにおいて、記録紙の綴じ孔（パンチ孔）を検出するための光電検出器アレー２１０が設けられている。光電検出器アレー２１０は、原稿搬送経路の幅方向に並んで配置された複数の透過型光電検出器から構成されている。各透過型光電検出器は、原稿搬送経路を挟む配置で配置された投光器２１１と受光器２１２とから構成されている。
【００１４】
複写機本体１００の下部には、破線１０１，１０２，１０３で示すように３つのカセット収容部（給紙段）が上下方向に並んで設けられている。最上段のカセット収納部１０１には給紙カセット２が、中段の収納部１０２には給紙カセット３が、最下段のカセット収納部１０３には給紙カセット４が、それぞれ収納されている。複写機本体１００の左側面の中段には、排紙トレイ５が設けられている。複写機本体１００内の上部には、露光機構、プリント機構および記録紙搬送機構が設けられている。
【００１５】
露光機構は、コンタクトガラス１上に載置された原稿の画像を走査するための露光ランプ２１および原稿からの反射光を反射する第１ミラー２２を備えた第１光学走行体３１、第１ミラー２２によって反射された光を集光レンズ２５に導くための第２および第３ミラー２３、２４を備えた第２光学走行体３２、集光レンズ２５によって得られた光情報を電気信号に変換するためのカラーＣＣＤ２６、カラーＣＣＤ２６によって得られた画像情報に対して各種画像処理を行う信号処理部２７ならびに信号処理部２７の出力信号を光信号（レーザ光）に変換するレーザユニット２８を備えている。レーザユニット２８から出力されるレーザ光は、感光体ドラム１１に照射される。
【００１６】
第１光学系走行体３１および第２光学系走行体３２は、図示しないスキャンモータによって、左右方向に往復動される。第２光学系走行体３２は、第１光学系走行体３１の速度の１／２の速度で、第１光学系走行体３１の移動距離の１／２の距離を移動する。
【００１７】
プリント機構は、感光体ドラム１１を備えている。感光体ドラム１１は、図示しないメインモータによって矢印の方向に回転駆動される。感光体ドラム１１の周囲には、その回転方向の順に、感光体ドラム１１の表面の感光層を帯電させる帯電器１２、感光層上に形成された静電潜像をトナー顕像として顕像化するＹ（イエロー）、Ｍ（マゼンダ）、Ｃ（シアン）、Ｋ（ブラック）の現像装置１３〜１６および感光層上に形成されたトナー顕像が転写される中間転写ベルト（中間転写体）１７、転写後の感光体ドラム１１上に残留しているトナーを除去する感光体クリーナ１８等が設けられている。
【００１８】
中間転写ベルト１７は、図示しないメインモータによって矢印の方向に回転駆動される。中間転写ベルト１７の周囲には、中間転写ベルト１７に転写されたトナー顕像を記録紙に転写するための転写ローラ４１、転写後の中間転写ベルト１７上に残留しているトナーを除去する転写ベルトクリーナ４２等が設けられている。
【００１９】
記録紙搬送機構は、カセット収納部１０１、１０２、１０３（給紙カセット２、３、４）毎に設けられた給紙ローラ５１、５２、５３およびさばきローラ対５４、５５、５６、記録紙を所定のタイミングで中間転写ベルト１７に搬送するためのレジストローラ対５７、中間転写ベルト１７上に形成されたトナー顕像が転写された記録紙を定着ローラ対５９まで搬送する搬送ベルト５８、定着ローラ対５９によってトナーが定着された後の転写紙を排紙トレイ５に搬送するための排出ローラ６０を備えている。
【００２０】
このデジタルカラー複写機では、カラー複写を行なう際には、１つの感光体ドラム１１によって、４色のトナー像が順次形成されるとともに、順次、中間転写ベルト１７に転写される。そして、中間転写ベルト１７に転写された４色のトナー像が記録紙に一括して転写される。
【００２１】
図２は、デジタルカラー複写機の電気的な構成を示している。
【００２２】
デジタルカラー複写機は、スキャナ部３１０と、制御部３２０と、ハードディスク（ＨＤＤ）３３０と、画像形成部３４０と、ユーザ操作部３５０とを備えている。スキャナ部３１０は、自動原稿送り装置（ＡＤＦ）２００と、露光機構内のカラーＣＣＤ２６等を含んでいる。制御部３２０は、ＣＰＵ、ＲＯＭ、ＲＡＭ等を備えている。
【００２３】
画像形成部３４０は、レーザスキャンユニット（ＬＳＵ）２８と、感光体ドラム１１および中間転写ベルト１７等を含むプリント機構とを備えている。ユーザ操作部３５０は、テンキー、スタートボタン、割り込ボタン等の各種キーを含むキー入力部３５１と、タッチパネル付きの液晶表示部３５２と、ＬＥＤ表示部３５３とを備えている。
【００２４】
このデジタルカラー複写機には、各カセット収納部１０１、１０２、１０３内の給紙カセット２、３、４に収納されている記録紙の属性を登録させるためのモード（以下、記録紙属性登録モードという）が用意されている。記録紙の属性には、用紙のサイズ、用紙の色（モノクロまたはカラー）、綴じ孔の有無等があるが、各カセット収納部１０１、１０２、１０３内の各給紙カセット２、３、４に収納されている記録紙のサイズは周知のように制御部３２０に認識されており、各カセット収納部１０１、１０２、１０３内の給紙カセットにそれに収納されている記録のサイズは、カセット収納部に関連して登録されている。したがって、記録紙属性登録モードでは、記録紙のサイズ以外の属性が登録される。      
【００２５】
以下、記録紙属性登録モードにおけるユーザの操作およびデジタルカラー複写機の動作について説明する。
【００２６】
まず、ユーザは、ユーザ操作部３５０を操作することによって、動作モードを記録紙属性登録モードに設定する。そして、属性を登録したい記録紙が収納されているカセット収納部を指定（入力）する。具体的には、記録紙属性登録モードが設定されると、３段のカセット収納部１０１、１０２、１０３のうちから、１つを選択するための選択項目がユーザ操作部３５０の液晶表示部３５２に表示されるので、ユーザはそれらの選択項目から１つを選択する。
【００２７】
ユーザは、指定した１つのカセット収納部から給紙カセットを引出し、その給紙カセットから１枚の記録紙を抜き取る。そして、抜き取った記録紙をＡＤＦ２００の原稿トレイ２０１にセットした後、ユーザ操作部３５０上のスタートボタンを押す。
【００２８】
スタートボタンが押されると、ＡＤＦ２００の原稿トレイ２０１にセットされた記録紙がＡＤＦ２００によって給紙され、コンタクトガラス１上に搬送される。記録紙が給紙を開始してからコンタクトガラス１上に搬送されるまでの間、光電検出器アレー２１０を構成する各透過型光電検出器が駆動される。そして、各透過型光電検出器の受光器２１２の出力が制御部３２０に送られて記憶される。
【００２９】
記録紙の先端が光電検出器アレー２１０の設置箇所に到達するまでは各投光器２１１から出射した光は対応する受光器２１２に到達するので、各受光器２１２からは例えばＨレベルの信号が出力される。そして、記録紙が光電検出器アレー２１０の設置箇所を通過している間は、通常は、各投光器２１１から出射した光は記録紙によって遮断され、各受光器２１２には光が入射されないので、各受光器２１２からはＬレベルの信号が出力される。そして、記録紙の後端が光電検出器アレー２１０の設置箇所を通過した後は、各投光器２１１から出射した光は対応する受光器２１２に到達するので、各受光器２１２からは例えばＨレベルの信号が出力される。
【００３０】
しかしながら、記録紙に綴じ孔（パンチ孔）が存在する場合には、記録紙が光電検出器アレー２１０の設置箇所を通過している間においても、綴じ孔が光電検出器アレー２１０の設置箇所を通過する際には、その綴じ孔の位置に対応する投光器２１１から出射した光は綴じ孔を通って受光器に到達するので、その受光器の出力はＨレベルとなる。
【００３１】
そこで、制御部３２０は、記憶した各受光器の出力に基づいて、記録紙に綴じ孔が存在するか否かを判別する。
【００３２】
制御部３２０は、コンタクトガラス１上に搬送された記録紙に対してスキャナ部３１０によって記録紙の画像を読み取らせる。そして、カラーＣＣＤ２６から出力されるＲ信号、Ｇ信号およびＢ信号に基づいて、記録紙の色がモノクロであるか、カラーであるかを判別する。なお、画像が読み取られた記録紙は、ＡＤＦ２００によってＡＤＦ２００の排出部２０８上に排出される。
【００３３】
このようにして、得られた記録紙の属性（用紙の色（モノクロまたはカラー）、綴じ孔の有無）は、ユーザによって選択されたカセット収納部に関連して登録される。したがって、当該カセット収納部には、既に登録されている記録紙のサイズの他、用紙の色（モノクロまたはカラー）、綴じ孔の有無が登録されることになる。
【００３４】
ユーザは、他のカセット収納部についても、記録紙属性登録モードによる登録処理を行わせることにより、全てのカセット収納部について、それに収納されているカセット内の記録紙の属性を登録させる。このように、ユーザはカセット収納部から給紙カセットを引出し、その給紙カセットから１枚の記録紙を抜き取ってＡＤＦ２００にセットするだけで、自動的にその記録紙の属性が判別されて登録されるので、記録紙の属性の登録のための操作が簡単である。
【００３５】
このデジタルカラー複写機は、カセット収納部１０１、１０２、１０３毎に登録された記録紙の属性を、ユーザ操作部３５０の液晶表示部３５２に表示させる機能を備えている。つまり、ユーザ操作部３５０に対してユーザが所定の操作を行うことにより、カセット収納部１０１、１０２、１０３毎に登録された記録紙の属性が、液晶表示部３５２に表示される。したがって、ユーザは、各カセット収納部１０１、１０２、１０３内の給紙カセットに収納されている記録紙の属性を用意に知ることができる。
【００３６】
なお、上記実施例では、動作モードを記録紙属性登録モードに設定した後、属性を登録したい記録紙が収納されているカセット収納部をユーザに指定（入力）させているが、動作モードを記録紙属性登録モードに設定した後に、記録紙を抜き取るために給紙カセットが引出された際に、給紙カセットが引き出されたカセット収納部を自動的に認識させるようにしてもよい。このようにすると、属性を登録したい記録紙が収納されているカセット収納部をユーザに指定（入力）させる必要がなくなる。
【図面の簡単な説明】
【００３７】
【図１】デジタルカラー複写機の機構を示す概略構成図である。
【図２】デジタルカラー複写機の電気的構成を示す概略図である。
【符号の説明】
【００３８】
１  コンタクトガラス
２〜４  給紙カセット
２６  カラーＣＣＤ
１００  複写機本体
１０１〜１０３  カセット収納部（給紙段）
２００  自動原稿搬送装置（ＡＤＦ）
２１０  光電検出器アレー
２１１  投光器
２１２  受光器
３１０  スキャナ部
３２０  制御部
３４０  画像形成部
３５０  ユーザ操作部
３５１  キー入力部
３５２  液晶表示部
【図１】
2006098431.tif 000003
【図２】
2006098431.tif 000004